(57)【要約】【課題】外出時や災害時など、飲み水が得難い場合にも薬を快適に服用できる薬入れ容器を提供する。【解決手段】飲み水Ｗが入る容器本体１と、容器本体１の上端開口部を閉じるキャップ２と、薬Ｍを入れるために、上面が開口する有底の小容器３とを備えている。容器本体１の底壁６の下方には、下面が開口する嵌合筒１５が延長形成されている。小容器３は前記嵌合筒１５に下方から嵌合して着脱自在に装着できる。【選択図】図１
0003109996.tif 000002
【実用新案登録請求の範囲】
【請求項１】
飲み水（Ｗ）が入る容器本体（１）と、容器本体（１）の上端開口部を閉じるキャップ（２）と、薬（Ｍ）を入れるために、上面が開口する有底の小容器（３）とを備えており、
容器本体（１）の底壁（６）の下方に、下面が開口する嵌合筒（１５）が形成されており、
前記嵌合筒（１５）に小容器（３）が下方から嵌合されて着脱自在に装着されている薬入れ容器。
【請求項２】
小容器（３）が、底面壁（１７）と、底面壁（１７）の外周から立ち上がる筒壁（１９）とを有し、
容器本体（１）側の嵌合筒（１５）に小容器（３）の筒壁（１９）が外嵌してねじ止めできる請求項１記載の薬入れ容器。
【請求項３】
飲み水（Ｗ）が入る容器本体（２１）と、容器本体（２１）の上端開口部を閉じるねじキャップ（２２）と、薬（Ｍ）が入る小容器（２３）とを備えており、
ねじキャップ（２２）に小容器（２３）が付設されている薬入れ容器。
【請求項４】
飲み水（Ｗ）を入れるために、底壁（２５）と、底壁（２５）から立ち上がる胴壁（２６）と、胴壁（２６）の上端に上すぼまりのテーパー状に連設されたテーパー壁（２７）と、テーパー壁（２７）の上端につながって外ねじ（３０）を有する円形の上端口部（２９）とを含む容器本体（２１）と、
容器本体（２１）の上端口部（２９）を開閉自在に閉じるために、この上端口部（２９）の開口上面を蓋する栓壁（３１）と、栓壁（３１）の下面から下向きに突設されて、前記外ねじ（３０）に螺合する内ねじ（３５）を持つねじ筒（３２）と、栓壁（３１）の外周から下向きに突設されて、容器本体（２１）のテーパー壁（２７）および上端口部（２９）の外周りを覆うカバー筒（３３）とを含むねじキャップ（２２）と、
薬（Ｍ）を入れるために、前記栓壁（３１）と、栓壁（３１）の外周から立ち上がる筒壁（３６）とを含む小容器（２３）と、
小容器（２３）の開口上面を開閉自在に密封する手段とを備えている薬入れ容器。
【請求項５】
小容器（２３）の開口上面を密閉する手段として、小容器（２３）の筒壁（３６）の上端外周に雄ねじ（３９）が形成されており、
小容器（２３）の開口上面を閉じる天板（４１）と、天板（４１）の外周から下向きに突設した円筒（４２）とを含むねじ蓋（４０）を備えており、
ねじ蓋（４０）の円筒（４２）の内周面に、雄ねじ（３９）に螺合する雌ねじ（４３）が形成されている請求項４記載の薬入れ容器。
【請求項６】
いずれもが円筒状とした容器本体（２１）の胴壁（２６）と、ねじキャップ（２２）のカバー筒（３３）と、小容器（２３）の筒壁（３６）と、ねじ蓋（４０）の円筒（４２）とは、嵌合装着した状態においてそれぞれの外周面がストレートに連続する面一状に形成されている請求項５記載の薬入れ容器。
【考案の詳細な説明】
【技術分野】
【０００１】
本考案は、外出時や災害時など飲み水が無いときに薬を服用するに便利な薬入れ容器に関する。
【背景技術】
【０００２】
この種の容器において、ある種の物（液体ないし粉体など）を第１容器と第２容器とに別々に収容しておき、必要に応じて内容物を取り出せるようにした複合容器は、例えば特許文献１〜６にみられるように枚挙に暇がない。
【特許文献１】実開昭６２−２００５４９号公報
【特許文献２】実公平７−３９８２９号公報
【特許文献３】実公平７−４２９９３号公報
【特許文献４】登録実用新案第３０７４１１２号公報
【特許文献５】登録実用新案第３０４８０６８号公報
【特許文献６】特開２００２−３０８２７８号公報
【考案の開示】
【考案が解決しようとする課題】
【０００３】
問題は、災害時などの非常用薬、外出時など戸外での非常用ないし常用薬を飲み水をともなって服用するための専用容器がないところにある。また、従来の複合容器は構造が複雑に過ぎ、開栓ないし開封も困難な点にある。
【０００４】
そこで、本考案の目的は、薬とこれを服用するための飲み水とが収容されていて、とくに非常時に用いて好適な薬入れ容器を提供することにある。本考案の目的は、シンプルな構造であって、屋内では嵩張らずに置いておけ、戸外への持ち出しにも有利な薬入れ容器を得るにある。
【０００５】
本考案は、身体障害者や老人でも手軽に薬を取り出せ、次に飲み水を含むことも容易な薬入れ容器を得るにある。
【課題を解決するための手段】
【０００６】
請求項１記載の本考案に係る薬入れ容器は、図１および図２に示すごとく、飲み水Ｗが入る容器本体１と、容器本体１の上端開口部を閉じるキャップ２と、薬Ｍを入れるために、上面が開口する有底の小容器３とを備えている。容器本体１の底壁６の下方には、下面が開口する嵌合筒１５が延長形成されており、前記嵌合筒１５に小容器３が下方から嵌合されて着脱自在に装着される。ここでの飲み水Ｗとは、薬の服用に供し得るあらゆる液体が含まれる。その意味では文字通りの飲料水に限らず、お茶や清涼飲料水なども広く含む概念である。
【０００７】
請求項２記載の本考案は、請求項１記載の薬入れ容器において、小容器３が、底面壁１７と、底面壁１７の外周から立ち上がる筒壁１９とを有し、容器本体１の嵌合筒１５に小容器３の筒壁１４を外嵌してねじ止めすることができる。
【０００８】
請求項３記載の本考案に係る薬入れ容器は、図３および図４に示すごとく、飲み水Ｗが入る容器本体２１と、容器本体１の上端開口部を閉じるねじキャップ２２と、薬Ｍが入る小容器２３とを備えており、ねじキャップ２２に小容器２３が付設されている。
【０００９】
請求項４記載の本考案に係る薬入れ容器は、同じ図３および図４に示すごとく、飲み水Ｗを入れるための容器本体２１と、容器本体２１の上端口部２９を開閉自在に閉じるためのねじキャップ２２と、薬Ｍを入れるための小容器２３とを備えている。容器本体２１は、底壁２５と、底壁２５から立ち上がる胴壁２６と、胴壁２６の上端に上すぼまりのテーパー状に連設されたテーパー壁２７と、テーパー壁２７の上端につながって外ねじ３０を有する円形の上端口部２９とを含む。ねじキャップ２２は、容器本体２１の上端口部２９の開口上面を蓋する栓壁３１と、栓壁３１の下面から下向きに突設されて、前記外ねじ３０に螺合する内ねじ３５を持つねじ筒３２と、栓壁３１の外周から下向きに突設されて、容器本体２１のテーパー壁２７および上端口部２９の外周りを覆うカバー筒３３とを含む。小容器２３は、前記栓壁３１と、栓壁３１の外周から立ち上がる筒壁３６とを含む。そして、小容器３２の開口上面を開閉自在に密封する手段を備えている。
【００１０】
請求項５記載の本考案は、請求項４記載の薬入れ容器において、小容器２３の開口上面を密閉する手段として、小容器２３の筒壁３６の上端外周に雄ねじ３９が形成されており、小容器２３の開口上面を閉じる天板４１と、天板４１の外周から下向きに突設した円筒４２とを含むねじ蓋４０を備えており、ねじ蓋４０の円筒４２の内周面に、雄ねじ３９に螺合する雌ねじ４３が形成されている。
【００１１】
請求項６記載の本考案は、請求項５記載の薬入れ容器において、いずれもが円筒状とした容器本体２１の胴壁２６と、ねじキャップ２２のカバー筒３３と、小容器２３の筒壁３６と、ねじ蓋４０の円筒４２とは、図３に示すごとく嵌合装着した状態においてそれぞれの外周面がストレートに連続する面一状に形成されている。
【考案の効果】
【００１２】
請求項１記載の本考案に係る薬入れ容器によると、容器本体１側の嵌合筒１５に対して薬Ｍを収納する小容器３が下方から着脱自在に嵌合しているので、薬Ｍとこれを服用するための飲み水Ｗとを一式備えて用意しておけ、非常時などに有利である。小容器３は、容器本体１の底側から簡単に下方へ抜き外せるので、これから取り出した薬はキャップ２を外して容器本体１内の飲み水Ｗで直ぐ様その場で服用できる。
【００１３】
請求項２記載の本考案によれば、容器本体１の嵌合筒１５に小容器３の筒壁１９を外嵌してねじ止めする仕様としたので、容器本体１に小容器３を確りと密封状態で簡単に装着でき、かつその取り外しも容易に行える。
【００１４】
請求項３記載の本考案によれば、容器本体２１のねじキャップ２２に薬Ｍの入る小容器２３が付設されているので、ねじキャップ２２を開けると同時に、容器本体２１と小容器２３とを分離でき、簡単な操作で小容器２３内の薬Ｍを容器本体２１内の飲み水で服用できる。
【００１５】
請求項４記載の本考案によれば、容器本体２１の上端口部２９がテーパー壁２７を介して小径になっているので、容器本体２１の上端口部２９に直接に口をつけて飲み水Ｗを飲用するのに好適である。容器本体２１に対してねじキャップ２２はねじ止め方式とし、容器本体２１からねじキャップ２２を外すと薬Ｍの小容器２３も容器本体２１から同時に分離できて使い勝手が良い。とくに、ねじキャップ２２の栓壁３１は、小容器２３の底壁を兼ねているので、部材点数が少なく、安価に量産できる。
【００１６】
請求項５記載の本考案によれば、請求項４の作用効果に加えて、小容器２３の開口上面はねじ蓋４０で開閉する仕様としたので、小容器２３の開口上面を簡単な操作で確実に密閉しておける。部材点数も、容器本体２１と、ねじキャップ２２を含む小容器２３とねじ蓋４０との僅か３点で済む。
【００１７】
請求項６記載の本考案によれば、容器本体２１の胴壁２６と、ねじキャップ２２のカバー筒３３と、小容器２３の筒壁３６と、ねじ蓋４０の円筒４２との外周面が、嵌合装着した状態においてそれぞれストレートに連続する面一状に形成されているので、スッキリした外観形態にでき、嵩張らず持ち運びに有利である。
【実施例】
【００１８】
（実施例１）  図１および図２は、請求項１および請求項２に対応する本考案の薬入れ容器の実施例１を示す。本案容器は、縦長の容器本体１と、容器本体１の上端開口を閉じるキャップ２と、薬用の小容器３とを備えている。
【００１９】
容器本体１は縦長円筒形の胴壁５と、胴壁５の下面を塞ぐ底壁６とを有し、胴壁５の上端口部７は段付き面９を介して小径に形成されており、上端口部７の外周面に第１の雄ねじ１０が刻設されている。
【００２０】
キャップ２は、天板１１と、天板１１の外周につながる短筒状の筒壁１２とを有して、下面が開口しており、筒壁１２の内周面に第１の雌ねじ１３が刻設されている。キャップ２の筒壁１２を容器本体１の上端口部７に外嵌し、第１の雄ねじ１０に第２の雌ねじ１３を螺合することにより、キャップ２で容器本体の上端開口を開閉自在に密閉することができる。
【００２１】
容器本体１の底壁６の外周には、円形の嵌合筒１５が下向きに延長形成されている。嵌合筒１５の外径寸法は胴壁５の外径寸法よりも小さい。嵌合筒１５の外周面には、上端近くに第２の雄ねじ１６を刻設してある。
【００２２】
小容器３は、底面壁１７の外周から円形の筒壁１５が上方に向けて連設されており、上面が開口する有底の円筒状に形成されている。筒壁１５の内周面の上端には第２の雌ねじ２０が刻設されている。
【００２３】
本案容器の使用に際しては容器本体１に飲み水Ｗを入れて、容器本体１にキャップ２をねじ止めすることにより、キャップ２で容器本体１の上端開口を密閉する。小容器３には薬Ｍを入れ、前記嵌合筒１５の外周に小容器３の筒壁１９を案内嵌合し、第２の雄ねじ１６に第２の雌ねじ２０を螺合することにより、嵌合筒１５に小容器３を密閉状態で取り付ける。
【００２４】
この状態において、薬Ｍは小容器３の底面壁１７で受け止められて嵌合筒１５内に封入されている。薬Ｍの服用に際しては、嵌合筒１５から小容器３を外し、小容器３から薬Ｍを取り出す。容器本体１からキャップ２を外し、容器本体１内の飲み水Ｗで薬Ｍを服用することになる。
【００２５】
（実施例１の変形例）  容器本体１は、胴壁５が円筒形であることに限定されない。容器本体１の上端口部７に対してキャップ２は、ねじ止める方式に代えて圧入嵌合するものでもよい。容器本体１と嵌合筒１５とは一体に成形されていることを要しない。嵌合筒１５に対して小容器３は、内嵌または外嵌する状態で圧入嵌合する仕様でもよい。
【００２６】
（実施例２）  図３および図４は、請求項３ないし６に対応する本考案の薬入れ容器の実施例２を示す。ここでの本案容器の基本形態は、飲み水Ｗが入る縦長の容器本体２１と、容器本体１の上端開口部を閉じるねじキャップ２２と、薬Ｍが入る小容器２３とを備えており、ねじキャップ２２に小容器２３が付設されている。
【００２７】
容器本体２１は、円形の底壁２５と、底壁２５から立ち上がる円筒形の胴壁２６と、胴壁２６の上端に上すぼまりテーパー状に連設されたテーパー壁２７と、テーパー壁２７の上端から上方に延びる円形の上端口部２９とからなる。この上端口部２９の外周面には外ねじ３０が刻設されている。テーパー壁２７を設けて上端口部２９の径寸法を小さくしたのは、使用者が上端口部２９に口を直につけて飲み水Ｗを飲めるようにするためである。上端口部２９の直径寸法は５０mm以下が好ましい。
【００２８】
ねじキャップ２２は、容器本体２１の上端口部２９の上端開口を開閉自在に閉じる水平な栓壁３１と、栓壁３１の下面中央から下向きに突設された円形のねじ筒３２と、栓壁３１の外周から下向きに延びて上端口部２９およびテーパー壁２７の外周りを覆う円形のカバー筒３３とからなる。ねじ筒３２の内周面には、内ねじ３５が刻設されており、この内ねじ３５を前記外ねじ３０に螺合することによって、容器本体１の上端口部２９はねじキャップ２２で開閉自在に密封することができる。
【００２９】
小容器２３は、前記栓壁３１と、この栓壁３１の外周から立ち上がる筒壁３６とからなる。すなわち、栓壁３１は容器本体１の上端口部２９を閉じると同時に、小容器２３の底面壁としても機能している。小容器２３の筒壁３６は、上端開口部３７が段付き面３８を介して小径に形成されており、上端開口部３７の外周には雄ねじ３９が形成されている。
【００３０】
小容器２３の開口上面を開閉自在に閉じるためにねじ蓋４０を備えている。そのねじ蓋４０は、小容器３の開口上面を覆う円形の天板４１と、天板４１の外周から下方に連設された円筒４２とからなる。円筒４２の内周面には前記雄ねじ３９に螺合する雌ねじ４３が形成されている。かくして、ねじ蓋４０は小容器２３に着脱自在にねじ止めできる。
【００３１】
実施例２に係る本案容器の使用に際しては、容器本体２１に任意量の飲み水Ｗを入れて、容器本体２１にねじキャップ２２でねじ止めすることにより容器本体１の開口上面を密閉する。小容器２３には薬Ｍを収納し、小容器２３にねじ蓋４０を装着して、ねじ蓋４０で小容器２３の開口上面を開閉自在に密閉する。
【００３２】
いずれもが円筒状とした容器本体２１の胴壁２６と、ねじキャップ２２のカバー筒３３と、小容器２３の筒壁３６と、ねじ蓋４０の円筒４２とは、図３に示すごとく嵌合装着した状態においてそれぞれの外周面がストレートに連続する面一状に形成されている。
【００３３】
ねじキャップ２２と小容器２３とは栓壁３１を介して一体に成形されているので、容器本体１の開口上面を開閉する際には、ねじキャップ２２の回転に伴い小容器２３も容器本体２１に対してねじキャップ２２と共に着脱できることになる。
【００３４】
（その他の実施例）  図の薬Ｍは、カプセル状の固形のものを例示したが、例えば粉末状や液体状であってもよい。特に薬Ｍが液体状である場合には、飲み水Ｗは口直しとしても機能することになる。また、本考案に係る薬入れ容器は、本来的には文字通り薬を収納する目的で使用されることを前提としているが、例えば非常食や駄菓子なども薬Ｍと共に収納しておける。
【図面の簡単な説明】
【００３５】
【図１】実施例１の縦断正面図
【図２】実施例１の構成部品を示す分解斜視図
【図３】実施例２を示す断面正面図
【図４】実施例２の構成部品を示す分解斜視図
【符号の説明】
【００３６】
１  容器本体
２  キャップ
３  小容器
６  容器本体の底壁
１５  容器本体の嵌合筒
１７  小容器の底面壁
１９  小容器の筒壁
２１  容器本体
２２  ねじキャップ
２３  小容器
２５  容器本体の底壁
２６  容器本体の胴壁
２７  容器本体のテーパー壁
２９  容器本体の上端口部
３０  外ねじ
３１  ねじキャップの栓壁
３２  ねじキャップのねじ筒
３３  ねじキャップのカバー筒
３５  内ねじ
３６  小容器の筒壁
３９  雄ねじ
４０  ねじ蓋
４１  ねじ蓋の天板
４２  ねじ蓋の円筒
４３  雌ねじ
Ｗ  飲み水
Ｍ  薬
【図１】
0003109996.tif 000003
【図２】
0003109996.tif 000004
【図３】
0003109996.tif 000005
【図４】
0003109996.tif 000006